(57)【要約】      （修正有）【課題】別の作業を行いながらユーザ間の連絡をスムーズに行うことができ、ユーザにとって邪魔にならず、目立たないように所持することができる携帯用無線機を提供する。【解決手段】ポケットに完全に収納できる大きさを有する無線機本体２と、マイク用ケーブル３を介して無線機本体２と接続され、イヤホン６を有すマイクロホン４とを備える。マイク用ケーブル３は、音声入出力端子が下側に位置するように無線機本体２を縦長状態でポケット内に収納したときに、無線機本体２の下側の側面と各端子が形成されていない側面を回ってポケット開口部近くまで至る長さを有する。携帯用無線機１は、歯科医療を行う医院内で用いる場合に適しており、医師及びスタッフは、携帯用無線機１を目立たないように胸ポケットに収納した状態で通話することにより、治療中の患者に不快感を与えることなく、院内での連絡や指示をスムーズに行うことができる。【選択図】図１
0003143619.tif 000002
【実用新案登録請求の範囲】
【請求項１】
薄肉長方形状の筐体における長手方向一方側端部の一方の側面に形成される音声入力端子及び音声出力端子を有する無線機本体と、
上記音声入力端子及び上記音声出力端子に接続される端子部を一端部に有するマイク用ケーブルと、
上記マイク用ケーブルの他端部が接続され、上記無線機本体よりも小さいマイク本体と、上記マイク本体にイヤホン用コードを介して取り外し可能に接続されるイヤホンとを有するマイクロホンとを備え、
上記無線機本体は、衣服のポケットに完全に収納できる大きさを有し、
上記マイク用ケーブルは、上記音声入力端子及び上記音声出力端子が下方側に位置するように上記無線機本体を縦長状態で上記ポケット内に収納したときに、上記無線機本体の下側側面と上記音声入力端子及び上記音声出力端子が形成されていない側面を回って上記ポケット開口部近くまで至る長さを有していることを特徴とする携帯用無線機。
【請求項２】
上記マイク本体の側面にクリップが設けられていることを特徴とする請求項１に記載の携帯用無線機。
【考案の詳細な説明】
【技術分野】
【０００１】
本考案は、無線機本体と、この無線機本体にマイク用ケーブルを介して接続されるイヤホン付マイクロホンを備える携帯用無線機に関する。
【背景技術】
【０００２】
近年、トランシーバーなどの携帯無線機は、持ち運び易さを考慮して小型化されてきている。トランシーバーは、通常、筐体にマイクとスピーカーとが内蔵された構成となっている。
【０００３】
しかし、一般のトランシーバーは、ユーザがトランシーバーを保持して、ユーザの耳と口の近傍に位置させる必要があることから、ユーザは、別の作業をしながら、無線通信を行うことができない。
【０００４】
そこで、作業性を考慮したマイク付ヘッドホンであるヘッドセットが種々提案されている（例えば、特許文献１参照）。上記ヘッドセットは、スピーカーが内蔵され、両耳に当てられる一対の筐体と、これら筐体を連結するヘッドバンドと、一方の筐体の下部に接続されるフレキシブルアームと、このフレキシブルアームの先端部に取り付けられるマイクユニットとを備えている。
【０００５】
このような構成のヘッドセットは、ユーザの頭にヘッドバンドを装着して、耳にスピーカーである筐体をあてがった状態で、上記フレキシブルアームを調整して、マイクユニットをユーザの口元に位置させて用いる。このように使用することにより、ユーザは、両手がフリーな状態となり、ヘッドセットで無線通信を行いながら、両手で別の作業を行うことができる。
【０００６】
また、耳に掛けて用いるいわゆる耳掛け型無線ヘッドセットも提案されている（例えば特許文献２）。この耳掛け型無線ヘッドセットは、スピーカーと回路基板とを内蔵し、耳に当てられる本体部と、この本体部に接続され、耳に掛けられるアーム部と、アーム部の先端部に内蔵されるマイクロホンとを備えている。
【０００７】
【特許文献１】特開２０００−３２５８０号公報
【特許文献２】特開２００５−２７７９９５号公報
【考案の開示】
【考案が解決しようとする課題】
【０００８】
ところで、歯科医療分野では、医院内において医師、歯科衛生士及びその他のスタッフの間で、連絡事項や医師からの指示などのやり取りが頻繁に行われる。例えば、受付をしているスタッフが医師に受付状態を報告したり、確認したりする場合や、医師からスタッフへ指示を出したりする場合などが挙げられる。
【０００９】
このような連絡・指示のやり取りは、例えば、治療中の医師がスタッフに対して指示を出したり、スタッフが治療中の医師に連絡事項を伝えたりする場合には、患者の近くまでスタッフが移動して上記やり取りが行われたり、医師が大声でスタッフに指示を出すことが行われる。従って、治療中の患者は、聴きたくない医師たちのやり取りを聴くことになり、このようなやり取りが患者に不快感を与えることがある。
【００１０】
そこで、患者への不快感をできるだけ少なくする方法として、医師及びスタッフがヘッドバンドを有する上記ヘッドセットを装着して治療及び作業を行うことが考えられるが、ヘッドバンド型ヘッドセットは、両耳を塞いだ状態になるので、患者との会話が行い難い。さらに、ヘッドバンド型ヘッドセットは比較的大きいので、医師及びスタッフの全員がヘッドセットを装着している状態は、上記患者から見て不快感を生ずる虞がある。
【００１１】
また、医師及びスタッフが上記耳掛け型ヘッドセットを装着して治療及び作業を行う場合には、片方の耳に耳掛け型ヘッドセットが装着されるので、患者との会話はスムーズに行えるが、耳全体を覆う本体部と、この本体部から延びるアーム部は、上記患者から見て依然として不快感を生ずる虞がある。また、本体部には、スピーカーと無線用の回路基板が内蔵されているために重量が重く、この本体部を支持するアーム部を耳に掛けた状態が長時間続くと耳が痛くなるなどの問題もある。
【００１２】
本考案は、上記の事情に鑑みてなされたものであり、第三者に不快感を与えることなく、しかも、別の作業を行いながらユーザ間の連絡をスムーズに行うことができ、ユーザにとって邪魔にならず、目立たないように所持することできる携帯用無線機を提供することを目的とする。
【課題を解決するための手段】
【００１３】
第１の本考案による携帯用無線機は、薄肉長方形状の筐体における長手方向一方側端部の一方の側面に形成される音声入力端子及び音声出力端子を有する無線機本体と、上記音声入力端子及び上記音声出力端子に接続される端子部を一端部に有するマイク用ケーブルと、上記マイク用ケーブルの他端部が接続され、上記無線機本体よりも小さいマイク本体と、上記マイク本体にイヤホン用コードを介して取り外し可能に接続されるイヤホンとを有するマイクロホンとを備え、上記無線機本体は、衣服のポケットに完全に収納できる大きさを有し、上記マイク用ケーブルは、上記音声入力端子及び上記音声出力端子が下方側に位置するように上記無線機本体を縦長状態で上記ポケット内に収納したときに、上記無線機本体の下側側面と上記音声入力端子及び上記音声出力端子が形成されていない側面を回って上記ポケット開口部近くまで至る長さを有するように構成されている。
【００１４】
本考案の携帯用無線機によれば、上記マイク用ケーブルは、上記ポケット内に納まる短めの長さに形成しているので、上記無線機本体、上記マイク用ケーブル及び上記マイク本体を上記ポケット内に収納した状態で無線通信を行うことができる。従って、本考案の携帯用無線機は、第三者に見られない状態にすることができ、第三者に不快感を与えることをできるだけ少なくすることができる。しかも、本考案の携帯用無線機は、移動することなく、両手で他の作業を行いながらユーザ間の会話を行えるので作業効率も向上できる。
【００１５】
また、上記無線機本体、上記マイク用ケーブル及び上記マイク本体は、重さをあまり意識しない上記ポケット内に収納されるので、ユーザへの負担も低減できる。さらに、上記ポケット内の底部において、上記マイク用ケーブルを湾曲した状態にできるので、上記マイク用ケーブルの湾曲部がクッションとして作用し、上記無線機本体が上記ポケット内において上下に移動しても、上下動による振動を上記マイク用ケーブルで吸収することができるので、ユーザへの負担をさらに軽減できる。
【００１６】
第２の本考案による携帯用無線機は、上記構成に加えて、上記マイク本体の側面にクリップが設けられている。本考案の携帯用無線機は、このように上記マイク本体の側面にクリップが設けられているので、上記マイク本体を上記ポケットの開口部にクリップにより取り付けることにより、上記マイク本体の位置を固定することができる。従って、上記ポケットの深さに応じて、上記マイク本体を上記ポケットの開口部に固定したり、上記マイク本体を上記ポケット内に完全に収納したりすることができる。
【考案の効果】
【００１７】
本考案の携帯用無線機によれば、上記マイク用ケーブルが上記ポケット内に納まる短めの長さに形成されているので、上記無線機本体、上記マイク用ケーブル及び上記マイク本体を上記ポケット内に無理なく収納できる。従って、少なくとも上記無線機本体及び上記マイク用ケーブルは、第三者から見られることがなく、第三者にできるだけ不快感を与えないで、ユーザ間の会話が行える。
【００１８】
しかも、各ユーザは、上記携帯用無線機を手で保持して無線通信を行わなくて良いので、両手で他の作業を行いながらユーザ間の会話が行える。さらに、上記無線機本体、上記マイク用ケーブル及び上記マイク本体を上記ポケット内に収納するので、ユーザの耳への負担はイヤホンのみとなり、ユーザへの負担も低減できる。
【００１９】
また、上記ポケット内の底部において、上記マイク用ケーブルは湾曲した状態で収納するので、上記マイク用ケーブルの湾曲部が上記無線機本体のクッションとして作用させることができる。このように本考案の携帯用無線機によれば、上記無線機本体が上記ポケット内において上下に移動しても、上下動による振動を上記マイク用ケーブルで吸収することができるので、ユーザへの負担をさらに軽減できる。
【考案を実施するための最良の形態】
【００２０】
本考案の実施の形態の携帯用無線機について、図面に基づいて説明する。本実施の形態の携帯用無線機１は、図１に示すように、イヤホン６を除いた部分を衣服のポケット７内に収納して用いることができる。このように、ポケット７内に携帯用無線機１を収納することにより、携帯用無線機１を手で保持せずとも、無線通信ができるように構成されている。
【００２１】
携帯用無線機１は、図１に示すように、無線機本体２と、マイク用ケーブル３と、マイクロホン４とを備えている。さらに、マイクロホン４は、マイク本体４１と、イヤホン用コード５を有するイヤホン６とを備えている。
【００２２】
無線機本体２は、図２から図４にも示すように、薄肉長方形状の筐体２１を有しており、衣服のポケット７に完全に収納できる大きさに形成されている。さらに、無線機本体２は、図示していないが、制御回路部或いは電源回路部等を搭載した回路基板及び内部諸回路等に対して電源を供給する二次電池が内蔵されている。
【００２３】
また、筐体２１における長手方向一方側端部の一方の側面に、マイク用ケーブル３に設ける端子部３１のマイク端子３２及びイヤホン端子３３が接続される音声入力端子２２及び音声出力端子２３が設けられている。
【００２４】
筐体２１における長手方向他方側端部の他方の側面に、電源スイッチ２４とチャンネルスイッチ２５と音量スイッチ２６とが設けられている。いずれのスイッチも押圧面を有する接点開閉式のスイッチから構成されており、押圧面を押圧することにより端子間が導通されて所定の入力信号が出力される。電源スイッチ２４は、１秒押すと電源のＯＮ/ＯＦＦが行えるようになっている。チャンネルスイッチ２５は、チャンネル番号を選択できるようなっている。音量スイッチ２６は、５段階レベルで音量を調節できるようになっている。
【００２５】
また、無線機本体２は、図２に示すように、内蔵マイク２７が内蔵されており、この内蔵マイク２７は、筐体２１における長手方向一方側端部の一方の平面部分に設けられている。筐体２１における内蔵マイク２７が設けられている面には、さらに、内蔵マイク２７を用いて通話する際に用いるトークスイッチ２８が、内蔵マイク２７の近くに設けられている。トークスイッチ２８も押圧面を有する接点開閉式のスイッチから構成されている。内蔵マイク２７による通話は、トークスイッチ２８を押し続けることにより行うことができ、トークスイッチ２８を切断すると内蔵マイク２７による通話は行えなくなる。
【００２６】
なお、内蔵マイク２７は、マイク用ケーブル３の端子部３１を音声入力端子２２及び音声出力端子２３に接続した場合には、トークスイッチ２８を押し続けても、この内蔵マイク２７からの音声の入力は無効となるように構成されている。従って、音声出力端子２３にイヤホン６のイヤホン端子を直接接続した場合にのみ、内蔵マイク２７から入力した音声が有効となる。
【００２７】
また、筐体２１における内蔵マイク２７が設けられている面の長手方向他方側端部に、チャンネル又は音量を表示する表示部２９が設けられている。表示部２９は、ＬＣＤ（Liquid Crystal Display：液晶ディスプレイ）により構成されている。
【００２８】
無線機本体２が使用できる周波数領域は、送信する場合は、４２１.５７５０ＭＨｚ〜４２１.９１２５ＭＨｚとなっており、受信する場合は、４４０.０２５０ＭＨｚ〜４４０.３６２５ＭＨｚとなっている。さらに、２７チャンネルで送受信が可能となっている。
【００２９】
マイク用ケーブル３は、図１、図５及び図６に示すように、無線機本体２の音声入力端子２２及び音声出力端子２３に接続されるマイク端子３２及びイヤホン端子３３を備える端子部３１を一端部に有し、他端がマイクロホン４のマイク本体４１に接続される。マイク用ケーブル３の他端はマイク本体４１に固定されている。
【００３０】
マイク用ケーブル３の長さは、図１に示すように、音声入力端子２２及び音声出力端子２３が下方側に位置するように無線機本体２を縦長状態でポケット７内に収納したときに、無線機本体２の下側側面（内蔵マイク側端面）と音声入力端子２２及び音声出力端子２３が形成されていない側面、即ち、電源スイッチ２４が形成されている側面を回ってポケット７の開口部近くまで至る長さとなるように形成されている。このように、マイク用ケーブル３は、ポケット７内に無理なく完全に納まるように短めに形成されている。
【００３１】
マイクロホン４のマイク本体４１は、図１、図５及び図６に示すように、長方形状の平面部を有する直方体からなり、無線機本体２よりも小さく形成されている。さらに、マイク本体４１は、長手方向一端部に音声入力部４１ａが設けられており、長手方向一方側の側面で音声入力部４１ａの近くに、通話する際に用いるトークスイッチ４１ｂが設けられている。マイクロホン４もトークスイッチ４１ｂを押し続けることにより、音声入力部４１ａから音声を入力することができるようになっている。
【００３２】
マイク本体４１における長手方向他方側の端面には、イヤホン用コード５の一端に設けるイヤホン端子が接続される音声出力端子４１ｃが設けられている。マイク本体４１の内部には、図示していないが、無線送受信用の回路基板が内蔵されている。マイク本体４１の一方の平面部には、クリップ４２が設けられている。このクリップ４２は、無線機本体２をポケット７内に収納した時に、図１に示すようにポケット７の開口端部に取り付けたり、また、図示していないが、スーツ、シャツなど、衣服の襟に取り付けたりすることができる。
【００３３】
イヤホン６は、イヤホン用コード５の他端に設けられており、耳に掛けられるアーム部６１と、このアーム部６１の先端部に形成されるスピーカー部６２とを備える。アーム部６１を耳に掛けた状態にすると、スピーカー部６２が耳の穴に対向して位置される。イヤホン用コード５の長さは、無線機本体２及びマイク本体４１をポケット７内に収納した時、このポケット７から耳までに至る十分な長さとしている。
【００３４】
本実施の形態の携帯用無線機１は、無線機本体２の音声入力端子２２及び音声出力端子２３にマイク用ケーブル３の端子部３１を接続し、さらに、マイク本体４１の音声出力端子４１ｃにイヤホン用コード５のイヤホン端子を接続させた状態で使用する。
【００３５】
本実施の形態の携帯用無線機１は、衣服の胸ポケットに収納して用いることが好ましい。ポケット７内に携帯用無線機１を収納する場合、図１に示すように、ポケット７の開口部から、マイク本体４１が少し突出するように、マイク本体４１に設けたクリップ４２をポケット７の開口部に取り付けて、ポケット７内に携帯用無線機１を収納することができる。
【００３６】
無線機本体２は、図１に示すように、内蔵マイク２７が下向きとなるようにポケット７内に収納した場合には、マイク用ケーブル３は、無線機本体２の下方を回って、電源スイッチ２４が設けられている側面に沿って立ち上がるようにポケット７内に収納される。なお、本実施の形態では、無線機本体２は、トークスイッチ２８が形成された面がユーザに対向した状態でポケット７内に収納されている。
【００３７】
この場合、マイク本体４１がポケット７から突出した状態となるが、無線機本体２及びマイク用ケーブル３は完全にポケット７内に収納された状態になるので、第三者がユーザを見ても、携帯用無線機１にはほとんど気がつかない。さらに、マイク本体４１をクリップ４２によりポケット７に固定することができるで、マイク本体４１の位置を常に一定の位置に保つことができる。
【００３８】
さらに、図１に示すように、無線機本体２、マイク用ケーブル３及びマイク本体４１をポケット７内に収納した場合、マイク用ケーブル３は、ポケット７内の底部で湾曲した状態になる。このマイク用ケーブル３の湾曲部が無線機本体２のクッションとなり、無線機本体２がポケット７内で上下に動いても、マイク用ケーブル３の湾曲部で振動を吸収することができるので、ユーザの不快感をできるだけ少なくできる。
【００３９】
また、本実施の形態の携帯用無線機１は、図７に示すように、無線機本体２、マイク用ケーブル３及びマイク本体４１を完全にポケット７内に収納して用いることもできる。この場合も、無線機本体２は、内蔵マイク２７が下向きとなるようにポケット７内に収納され、マイク用ケーブル３は、無線機本体２の下方を回って、電源スイッチ２４が設けられている側面に沿って立ち上がるようにポケット７内に収納することができる。マイク本体４１は、無線機本体２における音量スイッチ２６に近接させて配置させた状態でポケット７内に収納される。
【００４０】
このように、無線機本体２、マイク用ケーブル３及びマイク本体４１が完全にポケット７内に収納された場合も、マイク用ケーブル３は、ポケット７内の底部で湾曲した状態になる。このマイク用ケーブル３の湾曲部が無線機本体２のクッションとなり、無線機本体２がポケット７内で上下に動いても、マイク用ケーブル３の湾曲部で振動を吸収することができるので、ユーザの不快感をできるだけ少なくできる。
【００４１】
なお、マイク用ケーブル３は、長過ぎず、ポケット７内に無理なく納まる短めに形成しているが、無線機本体２を内蔵マイク２７が上方側に位置するようにポケット７内に収納したときは、ポケット７からマイク用ケーブル３を引き出し、クリップ４２を用いてマイク本体４１を衣服の襟に取り付けて使用することもできる。特に、内ポケットを有する背広やジャケットでは、この内ポケットに無線機本体２を内蔵マイク２７が上方側に位置するように収納し、襟にマイク本体４１を取り付けて使用することにより、マイク用ケーブル３及びマイク本体４１が目立たなくなる。
【００４２】
本実施の形態の携帯用無線機１は、特に歯科医療を行う医院内で用いる場合に適している。医院内の医師、歯科衛生士及びその他のスタッフは、それぞれの衣服の胸ポケット７に携帯用無線機１を収納した状態で、携帯用無線機１を用いて通話を行うことにより、患者に不快感を与えることなく、院内での連絡や指示をスムーズに行うことができる。
【００４３】
例えば、受付をしているスタッフが治療中の医師に受付状態を報告・確認する場合には、スタッフは受付の位置からそのまま医師に携帯用無線機１を介して報告することができ、治療中の位置は、患者の治療を行いながら、しかも、患者への不快感を低減してスタッフとの会話を行うことができる。
【００４４】
さらに、本実施の形態の携帯用無線機１は、胸ポケット７の収納できる程度のコンパクトな大きさで軽量なので、携帯用無線機１を胸ポケット７に完全に収納でき、しかも、ユーザの邪魔にもならない。
【００４５】
なお、本実施の形態の携帯用無線機１は、歯科医療を行う医院内で用いる場合に限らず、接客を行いながら、職場内部での連絡のやり取りを行う場合にも用いることができる。例えば、スーパーマーケットなど商品を販売する店内や、レストランなど飲食物を提供する店内などで携帯用無線機１をポケットに収納して用いることにより、お客に不快感をできるだけ与えないで、職場内部での連絡を確実に行え、しかも、短時間で作業を行うことができる。
【図面の簡単な説明】
【００４６】
【図１】本考案の実施の形態の携帯用無線機の一構成例であって、携帯用無線機を衣服のポケット内に収納した状態を示す説明図である。
【図２】本考案の実施の形態の携帯用無線機に係る無線機本体の平面図である。
【図３】本考案の実施の形態の携帯用無線機に係る無線機本体の左側面図である。
【図４】本考案の実施の形態の携帯用無線機に係る無線機本体の右側面図である。
【図５】本考案の実施の形態の携帯用無線機に係るマイク用ケーブル及びマイクロホンの一部省略平面図である。
【図６】本考案の実施の形態の携帯用無線機に係るマイク用ケーブル及びマイクロホンの一部省略側面図である。
【図７】本考案の実施の形態の携帯用無線機の他の構成例であって、携帯用無線機を衣服のポケット内に収納した状態を示す説明図である。
【符号の説明】
【００４７】
１    携帯用無線機
２    無線機本体
２１  筐体
２２  音声入力端子
２３  音声出力端子
２４  電源スイッチ
２５  チャンネルスイッチ
２６  音量スイッチ
２７  内蔵マイク
２８  トークスイッチ
２９  表示部
３    マイク用ケーブル
３１  端子部
３２  マイク端子
３３  イヤホン端子
４    マイクロホン
４１  マイク本体
４１ａ  音声入力部
４１ｂ  トークスイッチ
４１ｃ  音声出力端子
４２  クリップ
５    イヤホン用コード
６    イヤホン
６１  アーム部
６２  スピーカー部
７    ポケット
【図１】
0003143619.tif 000003
【図２】
0003143619.tif 000004
【図３】
0003143619.tif 000005
【図４】
0003143619.tif 000006
【図５】
0003143619.tif 000007
【図６】
0003143619.tif 000008
【図７】
0003143619.tif 000009